(57)【要約】      （修正有）【課題】立ち止まっている状態で安定である杖を提供する。【解決手段】主支柱１１４と、主支柱の上部に位置するガイドバー部１０１と、主支柱１１４に配置され、手で握るためのグリップ部１０２と、主支柱１１４の下部に配置された副支柱１２３と、副支柱上１２３に配置された膝置き部１０３とからなる。【選択図】図１
0003181019.tif 000002
【実用新案登録請求の範囲】
【請求項１】
主支柱と、
前記主支柱の上部に位置するガイドバー部と、
前記主支柱に配置され、手で握るためのグリップ部と、
前記主支柱の下部に配置された副支柱と、
前記副支柱上に配置された膝置き部とからなる杖。
【請求項２】
前記副支柱が２つ以上配置された請求項１記載の杖。
【請求項３】
さらに、人と前記主支柱とを固定する第２固定具、または、人と前記膝置き部とを固定する第１固定部を有する１または２記載の杖。
【請求項４】
地面への接地する部分が、前記主支柱と前記副支柱の端部である請求項１から３のいずれか１項に記載の杖。
【請求項５】
前記ガイドバーの部分、前記グリップの部分、前記膝置き部の部分が、それぞれ部品として、前記主支柱との組立式となっている請求項１から４のいずれか１項に記載の杖。
【請求項６】
上記組立式は、パイプ式で、パイプにパイプまたは突起を挿入することで組み立てられる請求項５記載の杖。
【請求項７】
地面への接地する部分である、前記主支柱と２つの前記副支柱の端部とで三角形を形成する請求項１から６のいずれか１項に記載の杖。
【請求項８】
地面への接地する部分である、前記主支柱と１つの前記副支柱の端部とを結ぶ辺が、杖の進行方向と垂直である請求項１から７のいずれか１項に記載の杖。
【請求項９】
前記主支柱は、杖の進行方向の前方で、人から離れた外側に位置する請求項１から８のいずれか１項に記載の杖。
【請求項１０】
前記主支柱は、曲がっている請求項１から９のいずれか１項に記載の杖。
【請求項１１】
請求項１〜１０のいずれか１項に記載の杖の１本に関して、前記杖の部材を組み合わせることで、左用と右用の杖とできる杖。
【考案の詳細な説明】
【技術分野】
【０００１】  杖に関する。
【背景技術】
【０００２】  図６（ａ）〜（ｃ）に、従来の杖の１つを説明する（特許文献１）。図６（ａ）は、人２０が杖１を使用している状況を説明する図である。図６（ｂ）、（ｃ）は、それぞれ、杖１の正面図、側面図である。
杖１は、第１支持部３、第２支持部４からなり、膝載置部９を有する。膝載置部９は、高さ調整孔７とボルト８で高さを調整できる。また、膝載置部９は、基部１０上に弾性部材１１を有する。第２取手１４は、高さ調整孔１２で位置を調整できる。第２取手１４は、１４ａ第２取手基部１４ａと、その回りに第２取手弾性体１４ｂを有する。第１支持部３には、第１取手１３があり、第２支持部４には、第２取手１４を手で握る。また、杖１の地面と接する部分には杖接地部６が設けられている。
従来の杖１では、図６（ａ）のように、膝載置部９に膝を置き、脇２で脇当て５を保持し、使用する。
【先行技術文献】
【特許文献】
【０００３】
【特許文献１】特開平０８−３０８８９３号公報
【考案の概要】
【考案が解決しようとする課題】
【０００４】  しかし、従来の杖では、杖１の地面との接触部分である杖接地部６が１箇所しかないため、移動するにはよいが、立ち止まっている状態では不安定である。
本願考案では、立ち止まっている状態で安定である杖の実現することを課題とする。
【課題を解決するための手段】
【０００５】  上記課題を解決するため、主支柱と、前記主支柱の上部に位置するガイドバーと、前記主支柱に配置され、手で握るためのグリップと、前記主支柱の下部に配置された副支柱と、前記副支柱上に配置された膝置き部とからなる杖を用いる。
【考案の効果】
【０００６】本願発明の杖では、主支柱と副支柱を有することで、その場で安定できるので、立ち止まって作業ができる。
【図面の簡単な説明】
【０００７】
【図１】（ａ）実施形態の杖１００の使用状態を示す図、（ｂ）杖１００のガイドバー部を示す図、（ｃ）杖１００のグリップ部を示す図、（ｄ）杖１００の膝置き部を示す図、（ｅ）杖１００の本体部を示す図
【図２】（ａ）杖１００の左足用を示す図、（ｂ）杖１００の右足用を示す図。
【図３】第２の実施形態を示す図
【図４】第３の実施形態を示す図
【図５】（ａ）〜（ｃ）実施の形態４の杖を示す図、（ｄ）実施の形態１〜３の杖の底面図、（ｅ）実施の形態４の底面図
【図６】（ａ）従来の杖１の使用状態を示す図、（ｂ）従来杖１の正面図、（ｃ）従来杖の側面図
【考案を実施するための形態】
【０００８】（実施の形態１）
図１（ａ）から図１（ｅ）にて、本願考案の杖１００の１つ例を説明する。図１（ａ）は、人２０が杖１００を使用している状態を示す。杖１００は、ガイドバー部１０１、グリップ部１０２、膝置き部１０３、本体部１０４からなる。
図１（ｂ）は、ガイドバー部１０１、図１（ｃ）は、グリップ部１０２、図１（ｄ）は、膝置き部１０３、図１（ｅ）は、本体部１０４をそれぞれ示す。
【０００９】ガイドバー部１０１は、バー１１０と第１連結部１１１とからなる。バー１１０は、棒状のもので、腕の外側と接触される。第１連結部１１１は、ハイプ状で、本体部１０４の主支柱１１４に差し込んで固定される。この例では、ガイドバー部１０１は、本体部１０４の主支柱１１４の一番上に位置する。ただし、主支柱１１４の上方であればよい。固定方法は、主支柱１１４への差込以外に外周に止める形式でもよい。ガイドバー部１０１は、主支柱１１４の上方がよいが、さらに一番上に位置すると好ましい。
【００１０】  グリップ部１０２は、人２０が手で握る部分である。手がにぎるグリップ１１５と本体部１０４へ接続するため第２連結部１１２とからなる。第２連結部１１２はパイプ状で本体部１０４の主支柱１１４に差し込んで固定される。ガイドバー部１０１より下部の主支柱１１４にある。固定方法は、主支柱１１４への差込以外に外周に止める形式でもよい。
【００１１】  膝置き部１０３は、人２０が膝を置くところである。膝を受ける膝当て１１６と、本体部１０４と連結するための第３連結部１１３がある。この第３連結部１１３は、安定させるため、複数ある。ただし、自転車のサドルのように１箇所でもよい。
本体部１０４は、主支柱１１４と、膝置き連結部１２０と、副支柱１２３と、副支柱１２３と主支柱１１４とを連結する第４連結部１２１と、からなる。
【００１２】  主支柱１１４は、ガイドバー部１０１とグリップ部１０２とを支える支柱であり、長い棒状体である。基本の背骨、中心の棒である。
副支柱１２３は、この場合２本の棒状の部材である。主支柱１１４と副支柱１２３とで、複数のポイントで地面と接することで、安定的にその場に滞在できる。副支柱１２３は、杖１００の下部に位置し、地面と接触する部分である。
【００１３】  副支柱１２３の２本と、主支柱１１４の１本とのおおよそ真ん中（垂直方向から見て）に、膝置き連結部１２０が配置されている。この膝置き連結部１２０と、副支柱１２３とに、膝置き部１０３の第３連結部１１３とが組み合わせられ、膝置き部１０３が固定される。
【００１４】  第４連結部１２１は、副支柱１２３間、副支柱１２３と主支柱１１４との間を連結する。強度アップのため、副支柱１２３の上下２箇所で連結する。
この場合、副支柱１２３の２本の端部と、主支柱１１４の１本の端部との３本で３点で地面に接地し、３点で安定して、地面をとらえることができる。
【００１５】  材料は、全体として、金属のパイプからなる。ガイドバー部１０１、グリップ部１０２、膝置き１０３は、樹脂製でもよい。
ガイドバー部１０１の部分、前記グリップ部１０２の部分、前記膝置き部１０３の部分が、それぞれ部品として、前記主支柱１１４（本体部１０４）との組立式となっていてもよい。上記組立式は、パイプ式で、パイプにパイプまたは突起を挿入することで組み立てられてよい。別途位置固定するためのネジ、ボルト部分を設けるとさらによい。例えば、第３連結部１１３が突起状で、パイプ状の副支柱１２３に差し込んで固定されてよい。組立が容易で、調整しやすい。特に、パイプ状なので、ガイドバー部１０１、グリップ部１０２の主支柱１１４に対する位置は調整しやすい。
【００１６】  使用方法は、図１（ａ）に示すように腕と体の間にガイドバー部１０１を挟み、膝を膝置き部１０３に置き、手でグリップ部１０２を持ち、手と膝とを動かして移動する。膝より下の足が悪い人用の杖である。
【００１７】  結果、杖が２本いらない。通常の杖は２本で１組である、本願の杖１００は、安定性があり１本のみで利用できる。杖１００では、片手が自由である。片方の腕、手で保持している。荷物が持てる、作業できる。また、休憩ができる。膝置き部１０３があり、主支柱１１４と副支柱１２３とからなり自立できる。立ち作業で、両手が使える。脇を使用しないので、脇が痛くなく、長時間使用できる。
【００１８】  図２（ａ）は、考案の杖１００の左足用であり、図２（ｂ）は、考案の杖１００の右足用である。本体１０４に対して、膝置き１０３、グリップ部１０２、ガイドバー部１０１の各部材の位置を変えることで、右足用、左足用と変換できる。左右用に組立可能、人ごとの位置調整もできる。
【００１９】  （実施の形態２）
図３は、実施の形態２として、考案の杖１００を使用している状態を示す。
実施の形態１との違いは、第１固定具２０１と第２固定部２０２がさらにあることである。第１固定具２０１は、膝当て１１６に、ふくらはぎを固定するもので、紐状のバンドである。第２固定具２０２は、ふとももを主支柱１１４に固定する紐状のバンドである。
どちらか１方あればよいが、両方あるとさらによい。この例ではガイドバー部１０１を肘の内側に挟むようにすれば、グリップ部１０２を手でつかむこと無く、両手で荷物を持って歩くことができる。固定具により、人２０は、ものを両手で持ちながら移動できる。第１固定具２０１、第２固定具２０２は、面ファスナーやベルトなどである。
さらに、
【００２０】  （実施の形態３）
図４は、実施の形態３として、考案の杖１００と人２０との地面との接地部分を示している。
主支柱１１４と副支柱１２３とで三角形を形成し、安定して自立できる。主支柱１１４と副支柱１２３との１辺は、進行方向に垂直である。こうすることで、支点が２点で、まっすぐ前進しやすい。三角形は、２等辺三角形が好ましい。より好ましくは正三角形がよい。
副支柱１２３をもう一本増やし、四角形にしてもよいが、前の辺は、進行方向に垂直にする必要がある。
主支柱１１４は、杖の前方で、人２０から一番離れた位置にある。これは、膝を置くために空間が必要であるためである。
【００２１】  （実施の形態４）
図５（ａ）から図５（ｃ）、図５（ｅ）は、実施の形態４の杖１００を説明する図である。図５（ｄ）は、実施の形態１〜３の杖１００の底面図である。図５（ａ）から（ｃ）、（ｅ）が、この実施の形態４である。
図５（ａ）、（ｂ）は、側面図で、見る方向が異なるものである。図５（ｃ）は分解図である。各部部分に分解できる。図５（ｅ）は、底面図である。図５（ｄ）は、実施の形態１〜３の杖１００の底面図である。
この形態で、前の実施の形態と異なるのは、主支柱１１４が、まっすぐな棒状でなく、途中で曲がっていることである。グリップ部１０２と膝置き部１０３の間で曲がっている。前の実施の形態では、グリップ部１０２やガイドバー部１０１が、進行方向へ飛び出していた。
さらに、本体部１０４を、主支柱部３０１と副支柱部３００とに分けている。このことで、主支柱部３０１を副支柱部３００の別の部分に取り付けることで左右用杖となる。この場合、膝置き部１０３を付け替える必要がない。
【００２２】  副支柱部３００は、３本の副支柱１２３からなる。この３本のいずれにも主支柱部３０１を連結できる。凹凸により連結されているが、他の連結方法でもよい。３本でなく４本以上でもよい。
この実施の形態では、図５（ｄ）の実施の形態１〜３と、図５（ｅ）のこの実施の形態との比較でわかるように、主支柱部３０１が曲がっていることで、杖１００が全体としてコンパクトになる。さらに、杖１００の重心が、中央に近づき安定性がでる（同様の材質、密度で作製）。すなわち、立ち止まっていやすい。
膝置き部１０３の曲がりの方向は、進行方向である。曲がりは１箇所でなくともよい。
その他の構成は、他の実施の形態と同じである。
また、副支柱部３００と、膝置き部１０３とのみにすると、椅子として利用できる。
【００２３】  なお、上記の実施の形態１〜４は、阻害する要因がない限り相互に組み合わせることができる。
【産業上の利用可能性】
【００２３】    杖として、広く使用できる。
【符号の説明】
【００２４】１  杖
２  脇
３  第１支持部
４  第２支持部
５  脇当て
６  杖接地部
７  高さ調整孔
８  ボルト
９  膝載置部
１０  基部
１１  弾性部材
１２  高さ調整孔
１３  第１取手
１４  第２取手
１４ａ  第２取手基部
１４ｂ  第２取手弾性体
２０  人
１００  杖
１０１  ガイドバー部
１０２  グリップ部
１０３  膝置き部
１０４  本体部
１１０  バー
１１１  第１連結部
１１２  第２連結部
１１３  第３連結部
１１４  主支柱
１１５  グリップ
１１６  膝当て
１２０  膝置き連結部
１２１  第４連結部
１２３  副支柱
２０１  第１固定具
２０２  第２固定具
３００  副支柱部
３０１  主支柱部
【図１】
0003181019.tif 000003
【図２】
0003181019.tif 000004
【図３】
0003181019.tif 000005
【図４】
0003181019.tif 000006
【図５】
0003181019.tif 000007
【図６】
0003181019.tif 000008